Podtech/llm-jp-corpus-v4-ja_patent huggingface dataset:
(57)【要約】【課題】使用者が無意識のうちに、手をオムツの中の排泄物に接触するのを防ぎ股上を広くとることのできる形状により熟練者でなくともオムツの交換がだれでも短時間で容易に行うことを目的としたものである。【解決手段】本考案はスモック本体背面に、ファスナーを配置すること、袖口調節ヒモ、スモック本体の裾にゴムを設けることで使用者が排泄物等に直接触れることを妨ぎ、介助者が衛生的かつ迅速にオムツの交換を行うことができ、さらにスモック本体には大きなＵ字型の内股形状を設けることでオムツの交換を容易にしこれにより使用者と介助者の負担の軽減できるようにした。【選択図】なし【実用新案登録請求の範囲】
【請求項１】
スモック本体の背中側にファスナーを設けるとともに、スモックの裾にゴムを設け、袖口部には、袖口調節ヒモを備え使用者がオムツの中に手を入れるのを防止することを特徴とするスモック。
【請求項２】
大きな深目のＵ字型の内股形状を特徴とするスモック。
【考案の詳細な説明】
【技術分野】
【０００１】本考案は，老人性痴呆性の患者が、オムツの中に手を差し込むのを防止するために背部にファスナーを設け、袖口部には袖口調節ヒモを設け、裾にゴムを備えた、介助者が短時間で衛生的にオムツ交換できるような大きな深目のＵ字型の内股をしたスモックに関する。
【背景技術】
【０００２】従来のスモックは、足の内側にファスナーが付いていたので使用者にも容易に手が届き使用者自身が長時間のオムツの装着で汗や排泄物による湿度の上昇から、かゆみや異物感をおぼえ、その結果、患者が無意識のうちにオムツ内に手を入れてしまい周囲を汚してしまい非衛生的になってしまった。さらにスモックの内股形状Ｖ字型で股上が浅かったので狭い空間でオムツを換えずらくオムツの交換時には熟練した技術と経験、更に時間が必要だったので介助者だけではなく使用者も大変な負担になった。
【考案の開示】
【考案が解決しよううとする課題】
【０００３】使用者が、オムツに手を侵入させることを防止し、大きな深目のＵ字型の内股形状によって介助者の手が自由に動きオムツの交換も短時間で衛生的に行え使用者への負担をも軽減でき前述のを解決しようするものである。
【課題を解決するための手段】
【０００４】本考案は、スモック本体の背中側にファスナーを設けるとともに、袖口部には袖口調節ヒモを設け、裾にゴムを備え、使用者が下腹部に手を入れるのを防止した、又、大きな深目のＵ字型の内股形状を設けることにより、股上を広くとることで介助者のオムツの交換も短時間にしかも衛生的に行えることで問題点を解決している。
【考案の効果】
【０００５】上述の様に、本考案の安心スモックは、背中にファスナーを設けたので使用者がオムツの中に容易に手を侵入することはできず周囲も衛生的に保て、開口部も従来のものより大きくとれ、介助者のオムツの交換も短時間で行える、又、大きな深目のＵ字型の内股形状により股上も広くとれるのでスモック本体の内容積も増え湿度の上昇を遅らせることができ使用者へのかゆみやむれといった負担をも軽減でき、更なるオムツの交換時間の短縮と熟練した技術がなくともオムツの交換が容易にこなせるので初心者の技術向上に役立つ。
【考案の実施するための最良の形態】
【０００６】スモック本体の後部中央部の使用者が手の届かない位置にファスナーを配置することで開閉部を大きくとることができる深目のＵ字型の内股形状によりスモック本体の内容積が増えこの結果、オムツの交換時間の短縮や周囲の衛生面の向上が望める、袖口部には袖口調節ヒモを備え、スモック本体の裾にはゴムを備え、これにより使用者の手のオムツ内の侵入を防止できる。
【実施例】
【０００７】以下、添付図面に従って一実施例を説明する。（１）は耐久性、抗菌性等適宜素材にて形成されたスモック本体、（２）はその後部に配置したファスナーでここを開き使用者に装着する。（１）スモック本体の裾にずれ防止と使用者の手の侵入防止用の（３）ゴムを備える、使用者の体系に合わすための（５）袖口調節ヒモを備える。使用者の名前をいれるための（６）を設ける。（１）スモック本体下部にオムツの交換を短時間で衛生的に行うことができる（４）大きな深目のＵ字型の内股形状を設ける。
【図面の簡単な説明】
【０００８】
【図１】本考案の安心スモックの実施例を示す背面図
【符号の説明】
【０００９】（１）スモック本体                  （５）袖口調節ヒモ
（２）ファスナー                    （６）名札
（３）ゴム
（４）大きな深目のＵ字型の内股形状
【図１】
0003134854.tif 000002
【手続補正書】
【提出日】平成19年6月1日(2007.6.1)
【手続補正１】
【補正対象書類名】実用新案登録請求の範囲
【補正対象項目名】請求項２
【補正方法】変更
【補正の内容】
【請求項２】
大きな深目のＵ字型の内股形状にすることで使用者の下半身に余裕ができオムツ交換をしやすくし衛生的に短時間で行えることを特徴とする請求項１記載のスモック。
(57)【要約】【課題】本考案は障害者の観光旅行を手助けするために、専任オペレーターによる集中管理運転で移動可能な車椅子型シート席により、重度の障害者でも観光地へ出かけることが出来、また付き添いが居れば単独自走も可能を特徴とした観光バス。【解決手段】本考案は観光バスの進行方向に沿って３列にシート席を設け中央の１列を車椅子型シート席３に設定する。バスへの乗り込みで、お客はシート席に座りシートベルトを締めてリフト１に乗り込み客室まで上昇し、床に設けたガイドレール２に沿って進み各規定の位置で止まり自分の向きが後ろ向きの人は車両進行方向に向きを替えて固定する。シート席５は固定する前に車両前方に方向を変え左側、窓際いっぱいに寄り固定する。降車は乗り込みの反対作業で全作業、専任オペレーターが行う。路上走行は基本的には専任オペレーターが複数運転を行うが、付き添いがいれば１台ずつ後ろの１６のリモコン部を引き出し自立走行試運転も出来る。【選択図】図１
0003134853.tif 000002
【実用新案登録請求の範囲】
【請求項１】
車体の長さ方向中央床面上にガイドレールを設け、ガイドレールに沿って車椅子型シートの複数を移動させると共に、適宜固定可能とすることを特徴とする観光バス。
【請求項２】
車椅子型シートは車体左中央部に設けたリフトに載せ、乗降させることを特徴とした観光バス。
【請求項３】
車椅子型シート席はラジオコントロールで１〜４台を集中管理運転も出来るし、付き添いがいれば１台ずつ自走運転も可能を特徴とした車椅子型シート席。
【考案の詳細な説明】
【技術分野】
【０００１】観光バスに専用・車椅子型シート席を装備し、その乗降を補助する装置の設置、並びに健常者のお客には普通のシート席として使える特徴がある。
【背景技術】
【０００２】今までの観光バスは、車椅子の為のスペースを設けた車両はあったが専用・車椅子型シートを設置し、その車椅子型シートに乗客が座ったまま乗降できることと、車椅子の制御を専用オペレーターがすることによって乗客の安全が確保でき、シートを固定すれば普通シート席として使用することが出来る。
【考案が解決しようとする課題】
【０００３】車椅子のスペースを設けただけの車両では、車椅子が使用しないときは「空きスペース」になる。車椅子席を各個人が運転するとまとまりがつかず危険である。
【課題を解決するための手段】
【０００４】車内の車椅子席の移動はガイドレールに沿って、車外ではオペレーターがラジコンで運転（１〜４台）するので安全。付き添いが付く場合は個別運転も可能。
車椅子席を固定すると普通観光バスとして使用可能。
【考案の効果】
【０００５】専用の車椅子シート席を設けたことで障害者・高齢者でも気軽にバス旅行に出かけることが出来、またシート席を固定すれば普通観光バスとして使用可能。
車椅子シート席をオペレーターがラジコン運転することで安全が確保できる。
【考案を実施するための最良の形態】
【０００６】車椅子シート席はバス中央左側のリフトにガイドレールに沿って乗り込み固定しリフトで客室まで上昇・停止、ガイドレールに沿って所定の位置まで自走し固定。リフトの上のシート席は最後に乗り込み上昇・停止した後に９０度回転して車両前方に向きを替え左側面により固定する。健常者の客は車両前方の乗降口を利用。シート席の運転は専任オペレーターが１〜４台をラジオコントロールで集中管理運転も出来るし、付き添いがいればシート席後部に内蔵された運転装置を引き出し１台ずつ自走運転も出来る。
【図面の簡単な説明】
【０００７】
【図１】    シート席の配置及びリフトの位置
【図２】    リフト乗降口の位置
【図３】    リフトを横から見た詳細図
【図４】    リフトを上から見た詳細図
【図５】    転落防止用フエンスを横から見た詳細図
【図６】
【符号の説明】
【０００８】    １        乗降用リフト
２        ガイドレール
３        車椅子型シート席  １
４        普通シート席
５        車椅子型シート席  ２
６        車椅子型シート席乗降口扉
７        客室床面
８        リフト上昇・下降用チェン
９        車両最下部
１０        リフト乗り入れ用板
１１        転落防止用フエンス
１２        乗降口開閉用ダンパー
１３        フエンス開閉用油圧シリンダー
１４        リフト吊り下げワイヤー
１５        滑車
１６        リモコン部
１７        格納時の車輪の位置
１８        走行時の車輪の位置
１９        ガイドピン
２０        後転倒防止用車輪（走行時のみ）
【図１】
0003134853.tif 000003
【図２】
0003134853.tif 000004
【図３】
0003134853.tif 000005
【図４】
0003134853.tif 000006
【図５】
0003134853.tif 000007
【図６】
0003134853.tif 000008
【手続補正書】
【提出日】平成19年5月28日(2007.5.28)
【手続補正１】
【補正対象書類名】実用新案登録請求の範囲
【補正対象項目名】全文
【補正方法】変更
【補正の内容】
【実用新案登録請求の範囲】
【請求項１】
１又は複数の車椅子型シートと、車体の長さ方向中央床上に設けられたガイドレールとを有し、該ガイドレールに沿って該車椅子型シートを移動させると共に、適宜固定可能としたことを特徴とした観光バス。
【請求項２】
請求項１において、車体左中央部にリフトを有し、前記車椅子シートを該リフトに乗せて、乗降させることを特徴とした観光バス。
【請求項３】
請求項１において、前記１又は複数の車椅子型シートは自走可能であると共に、ラジオコントロールにより集中管理運転可能であることを特徴とした観光バス。
【手続補正２】
【補正対象書類名】明細書
【補正対象項目名】０００７
【補正方法】変更
【補正の内容】
【０００７】
【図１】シート席の配置及びリフトの位置
【図２】リフト乗降口の位置
【図３】リフトを横から見た詳細図
【図４】リフトを上から見た詳細図
【図５】転落防止用フエンスを横から見た詳細図
【図６】車椅子型シートの詳細図
(57)【要約】【課題】トイレのロールペーパーの先端送り出しを容易にする。【解決手段】本考案は、ペーパーホルダーのカバーに設けた平行溝を移動するレバーを手前側に引くとカバーの内側に取り付けた矢尻形の爪がロールの表面を引掻けてロールを手前方向に回転してカバーの先端からペパー送り出す、レバーを向う側に移動するとプレートの矢尻形の爪はペーパーロールの表面を滑って内部に滑り込む、ペーパーロールはペーパーの使用に従ってロールの径が細くなるが本考案のレバー及び矢尻形の爪は本体のカバーに設けているから容易にロールの径の大小に対応する。【選択図】図２
0003134858.tif 000002
【実用新案登録請求の範囲】
【請求項１】
本考案はロールペーパーホルダー部分からペーパーの先端出しを容易にする仕掛です。
ホルダーカバーを突き抜けて設けた平行の溝を移動するレバーを手前側に引くと、カバー内の内側で結合て移動する部分に取りつけた矢尻形の爪がロールの表面を引つ掻けてロールを手前方向に回転してペーパーの先端をカバーの下から送り出す、レバーを向側に押すと矢尻形の爪はロールの表面を滑って奥部に入り込む。
ペーパーロールはペーパーの使用に従ってロール径が細くなるが、本考案はホルダーカバーと共に上下して対応する、ペーパーの先端がカバーの下から送り出された後は、ペーパーを幾ら手引きしても矢尻形に爪はロールの表面を滑るからロールには何の支障も発生しない
【考案の詳細な説明】
【技術分野】
【０００１】ロールペーパーホルダーに関する。
【背景技術】
【０００２】本考案は、トイレのロールペーパーの先端出しが容易に出来る仕掛です
（特開公報で先行技術を調査したが本考案と類似の技術を使用した物件は見当ら無い）
【考案の開示】
【本考案が解決しようとする課題】
【０００３】ロールペーパーをホルダーカバーの縁に合わせてカットすると、次ぎの使用者はペーパーの先端を摘み出す為に案外難儀する、特に高齢者や障害者でもホルダーカバーのレバーを手前側に移動するとペーパーの先端出しが容易に出来る仕掛けを提供する
【課題を解決するための手段】
【０００４】  ペーパーホルダーカバーの中心部分に内部のプレートを前後に移動するレバー用の平行した二本の溝を設けて、レバーを手前方向に引くとレバーの内側に設けた矢尻形の爪がロールの表面を引掻けて手前方向に回転してペーパーの先端をホルダーカバーから送り出す。レバーを向側に移動する時はプレートの矢尻形の爪はロールの表面を滑って内部に入り込む。
【０００５】  ペーパーロールの径はペーパーの使用に従って細くなる、本考案ではレバーの内側に設けた矢尻形の爪がロールの表面を引つ掻けロールを回転してペーパーを送り出す。
【考案の効果】
【０００６】ロールペーパーホルダーからペーパーの先端を容易に送り出す。
【考案の実施するための最良の形態】
【０００７】前使用者がペーパーホルダーカバーの縁に沿ってペーパーを綺麗にカットする事が多い、次ぎに使用する人はペーパーの先端の摘み出しに以外に難儀する。
高齢者や障害者はペーパーホルダーからペーパーの先端を摘み出す為に難儀している現実がある。
本考案はホルダーカバーに設けたレバー平行溝を移動しレバーを移動してカバー下からペーパーの先端を送り出す仕掛である。
【実施例】
【０００８】ロールペーパーホルダー「Ａ」のカバー「Ｂ」に設けた誘導溝「Ｇ」を移動するレバー「Ｒ」を手前側に引くとカバー「Ｂ」の内側の双方が連結部分「Ｘ」に複数の移動する矢尻形の爪「Ｙ」を設け、レバー「Ｒ」を手前方向に引くと矢尻形の爪「Ｙ」がペーパーロール「ＰＲ」の表面を引掻けてペーパーロール「ＰＲ」を手前方向に回転し、カバー「Ｂ」の先端下からペーパーを送り出す。【０００９】レバー「Ｒ」を先方側に移動するとレバー「Ｒ」内側の矢尻形の爪「Ｙ」はペーパーロール「ＰＲ」の表面を滑って内部に入り込む。【００１０】ペーパーロール「ＰＲ」はペーパーの使用に従って径が小さくなる、ペーパーロール「ＰＲ」の径の大きさに従ってホルダー本体付属のカバー「Ｂ」は上下するからレバー「Ｒ」の矢尻形の爪「Ｙ」も上下して目的に叶う働きをする。
【図面の簡単な説明】
【００１１】
【図１】ペーパーホルダーと移動レバーの平面図。
【図２】ペーパーホルダーのレバーと矢尻形の爪の移動断面図
【図３】レバーと矢尻形の爪の取りつけ図
【符号の説明】
【００１２】Ａ・・ロールペーパーホルダーの本体
Ｂ・・ローラーカバー
Ｃ・・ペーパーロール支持ポール
Ｇ・・レバー誘導溝
Ｒ・・プレート移動用レバー
ＰＲ・ロールペーパー
Ｘ・・レバーの連結部分（表面と裏面）
Ｙ・・矢尻形の爪
【図１】
0003134858.tif 000003
【図２】
0003134858.tif 000004
【図３】
0003134858.tif 000005
【手続補正書】
【提出日】平成19年6月6日(2007.6.6)
【手続補正１】
【補正対象書類名】実用新案登録請求の範囲
【補正対象項目名】全文
【補正方法】変更
【補正の内容】
【実用新案登録請求の範囲】
【請求項１】
（１）本考案はロールペーパーホルダーのカバーの先端からペーパーの先端出しを容易に出来るロールペーパホルダーです、
（２）ホルダーのカバーを貫通して設けた平行の溝を連動する表面と裏面部分を連結し表面に設けたレバーを手前方向に引くと連動する裏面部分に設けた矢尻形の爪がロールの表面を引つ掻けてロールを手前方向に回転してペーパーの先端をカバーの下から送り出す、
（３）表面のレバーを向側方向に押すと裏面部分の矢尻形の爪はロールの表面を滑って奥部に入り込む構造である
（４）ペーパーロールはペーパーの使用に従ってロール径が細くなるがロールペーパーホルダーカバーに設けた（２）（３）はホルダーカバーに連動して（１）の目的を補完し表面のレバーが手前に有る時はペーパーを手引きしても（２）（３）の矢尻形の爪はロールの表面を滑る構造だからペーパーロールには支障も発生しない事を特徴とするロールペーパーホルダーである。
(57)【要約】      （修正有）【課題】ライナーによる生理時の漏れを防止する。【解決手段】ライナーの中にふくらみがついており、生理時に膣にあてて、生理の少なくなった時期に陰部にあてて、パンティを穿き生理する。【選択図】図１
0003134179.tif 000002
【実用新案登録請求の範囲】
【請求項１】
生理用品ライナーの中にふくらみがついており生理時に使う生理用品の新しいタイプで  ライナーとふくらみで生理のと
0003134179.tif 000005
【考案の詳細な説明】
【技術分野】
【０００１】生理用品ライナーの中にふくらみがついて生理時に使う生理用品である
【背景技術】
【０００２】従来の生理用品としては、ライナー・タイプのものがあったが  ふくらみつきのものはなく、不便であった
【考案が解決しようとする課題】
【０００３】従来のライナーでは漏れがあり、それをふくらみと連動することによって生理
0003134179.tif 000003
でき  生理出血によるベットの汚れも解消する
【課題を解決するための手段】
【０００４】ライナーの中にふくらみがついており、生理時に膣にあてて  生理の少なくなった時期に陰部にあてて  パンティを穿き生理する。
【考案の効果】
【０００５】上記のようにライナーにふくらみがついており  より漏れを防ぐ効果がある。
【考案を実施するための最良の形態】
【０００６】ライナーについたふくらみを陰部にあてて  ライナーをあて生理前に準備し、
0003134179.tif 000004
【実施例１】
【０００７】ライナー（１）とふくらみ（２）を手にとり  陰部にあてて、生理する。
本考案は上記した構造をなすものであるから  生理時のわずらわしさや、不便さを解消し、持ち運びや携帯に便利という効果がある。
【図面の簡単な説明】
【０００８】
【図１】本考案のライナーふくらみの一実施例を示す立体図である。
【符号の説明】
【０００９】（１）は、生理用普通のライナー
（２）は、生理用普通のふくらみ
【図１】
0003134179.tif 000006
(57)【要約】      （修正有）【課題】軽量コンパクトで、転んでも起きあがり、四輪駆動でどんな悪条件でも使用が可能な万能型で、しかも、遠隔操作なのでケガ・腰痛・毒蛇・害虫の心配もなく、簡単操作且つ安全で、危険を伴わない草刈作業が出来、人手不足を解消し、高齢者にも最適なリモコン式転起きダルマ型草刈ロボットの提供。【解決手段】本体はダルマ型で、ラジコンの四輪駆動の車体上にダルマが載る形で、ラジコンエンジン・バッテリー及び従来の棒状刈払い機のエンジン・バッテリー部をダルマ本体に内蔵する。下部に刈払い機の先端刃の部分と軸の部分をひっつけ、苅り払いノコ刃とノコ受けの間に首輪をはめ、ダルマ頭部にアンテナ、センサーを付ける。【選択図】図１
0003134178.tif 000002
【実用新案登録請求の範囲】
【請求項１】
本体（１）はリモコン式ダルマ型で内部にラジコンエンジン（２）バッテリー（３）を組み込みダルマ頭上（４）にアンテナ（５）センサー（１８）を付け、四輪駆動のラジコン車体（８）に載せ、車軸（９）をつけ、その先に四つの車輪（１０）をつける。車体の真下に苅り払い機の主軸（１４）を下ろし刈払い機用ノコ刃（１５）を付ける。以上の如く構成されたリモコン式転起きダルマ型草刈ロボット。
【請求項２】
ダルマ本体（１）の顔の部分に穴（６）を空け、エンジン（２）点検・バッテリー（３）交換ができる。又、持ち手（７）用に手提げができる。エンジン（２）より、刈払い機主軸（１４）を真下に下ろし、ノコ刃（１５）をつけ、ノコ刃受け（１６）と留め金具（１７）で挟み止める。ノコ刃（１５）の高低角度調節（１２）可能、草が刈払いノコ刃（１５）とノコ受け（１６）の間に草が巻き付きにくい首輪ストッパー（１９）を付け、請求項１のリモコン式転起きダルマ型草刈ロボット。
【請求項３】
バッテリー（３）は充電式・乾電池共有。エンジン（２）はラジコン用及び混合油式搭載、使用も可能、ダルマ本体（１）下部の最前部（１２）にもノコ刃（１５）が着装可能な請求項１のリモコン式転起きダルマ型草刈ロボット。
【請求項４】
車軸（９）がアンテナのようにスライド状に伸び縮みし、四つの車輪（１０）の足首（１１）を磁石にし、アングルか鉄線をレールとして使用可能な請求項１のリモコン式転起きダルマ型草刈ロボット。
【考案の詳細な説明】
【技術分野】
【０００１】  本考案は、リモコン操作で草を刈ることが出来る草刈ロボットに関する。
【背景技術】
【０００２】  従来の草刈機は、様々な形態（図６図７図８）があるが、いづれも人力をようし、これからの高齢化社会、農業人口の減少下では大変である。よく似た形態で芝刈り機（図８）があるが平坦な柔らかい草しか対応出来ないし、傾斜面には不適応。
【考案の開示】
【考案が解決しょうとする課題】
【０００３】  本考案は、農業人の口減少・高齢化が進み労働力不足。又、平地・傾斜面同時に出来るものや機械を振り回したりするものもあるが、人力を必要とする為、毒蛇やハチなど害虫・ケガの危険があり心配だ。
【課題を解決するための手段】
【０００４】  そこで、農業者の高齢化と労働力不足を解消する為、ケガの心配もなく無人で安全・簡単に草刈り操作の出来る。リモコン式転起きダルマ型草刈ロボット（図１）の考案だ。  本考案により誰れでも簡単に操作が出来、危険を伴わない草刈が出来る。
【考案を実施するための最良の形態】
【０００５】  本案件に係るリモコン式転起きダルマ型草刈ロボット（図１）。遠隔操作センサー付きリモコン式草刈ロボットだ。本体はダルマ型で、ラジコンの四輪駆動の車体上にダルマが載る形。ラジコンエンジン・バッテリー及び従来の棒状刈払い機のエンジン・バッテリー部をダルマ本体に内蔵。下部に刈払い機の先端刃の部分と軸の部分をひっつけ、苅り払いノコ刃とノコ受けの間に首輪をはめた。ダルマ頭部にアンテナ、センサーを付け、従来の棒状刈払い機（図６）がリモコン式転起きダルマ型草苅ロボットに組み込まれる形だ。車輪の車軸がアンテナのようにスライド式で４つ車輪の足首を磁石にした。  この考案を使用するときは、リモコン（２０）で起動し、角度を調節し、スタートさせばよい。傾斜面の場合アングルか適当な鉄線を引っ張り車軸を伸ばし、磁石の車輪を２ヶひっかければよい。
【図面の簡単な説明】
【０００７】
【図１】本考案の斜視図
【図２】本考案の平面図
【図３】本考案の側面図
【図４】本考案の底面図
【図５】本考案の断面図本案件の簡単な図である。
【図６】苅り払い機
【図７】傾斜地・平地対応草刈機
【図８】芝刈り機図６〜図８は従来の草刈機である。
【符号の説明】
【０００８】  １ダルマ本体  ２エンジン  ３バッテリー  ４ダルマの頭部  ５センサー  ６顔の部分（点検用）  ７手提げ  ８車体  ９車軸１０車輪１１車輪の足首１２下部の最前部１３高低角度感知センサー１４草刈機の主軸１５草刈機刃１６ノコ刃受け１７留め金具１８センサー１９首輪ストッパー２０リモコン
【図１】
0003134178.tif 000003
【図２】
0003134178.tif 000004
【図３】
0003134178.tif 000005
【図４】
0003134178.tif 000006
【図５】
0003134178.tif 000007
【図６】
0003134178.tif 000008
【図７】
0003134178.tif 000009
【図８】
0003134178.tif 000010
(57)【要約】      （修正有）【課題】突き剥がし用のスクレーパーと引き剥がし用のスクレーパーの２本のスクレーパーを、１本の押引スクレーパーに合体させる事に依り、作業が容易に出来、かつ作業性を良くする。【解決手段】突引スクレーパーは、スクレーパーの先端に突引用の両方を兼ね備えたスクレーパーで、１本で両方の作業が容易に出来る様にした。【選択図】図３
0003134171.tif 000002
【実用新案登録請求の範囲】
【請求項１】
付着物を取り除く為に、突き剥がしたり、引き剥がしたりするために、突き剥がし用のスクレーパーと引き剥がし用のスクレーパーを先端に備えたスクレーパーを握り柄に装着した突引スクレーパー。
【考案の詳細な説明】
【技術分野】
【０００１】本考案は、付着物を取り除く時に容易に、かつ作業性を良くした、突引スクレーパーである。
【技術背景】
【０００２】従来のスクレーパーは、突き剥がし用のスクレーパーと引き剥がし用のスクレーパーが、別々に出来ているので、突き剥がし用のスクレーパーで付着物を取り除き、付着物を取り除く事が出来なかった部分を、引き剥がし用のスクレーパーを使用して付着物を取り除くため、突き剥がし用のスクレーパーと引き剥がし用のスクレーパーの２本のスクレーパーを持って作業をしていた。
本考案の、突引スクレーパーは、スクレーパーの先端に突引用の両方を兼ねたスクレーパーで、１本で両方の作業が容易に出来、かつ作業性が良い。
【考案の開示】
【考案が解決しようとする課題】
【０００３】本考案は、突き剥がし用のスクレーパーと引き剥がし用のスクレーパーの２本のスクレーパーを、１本の押引スクレーパーに合体させる事に依り、作業が容易に出来、かつ作業性が良い。
【課題を解決するための手段】
【０００４】本考案の、突引スクレーパーは、スクレーパーの先端に突引用の両方を兼ね備えたスクレーパーで、１本で両方の作業が容易に出来る様にした。
【考案の効果】
【０００５】前述の様に、本考案の突引スクレーパーは、以前に考案された、従来の突き剥がし用のスクレーパーと引き剥がし用のスクレーパーの２本のスクレーパーを、１本の押引スクレーパーに合体させる事に依り、作業が容易に出来、かつ作業性が良くなった。
【考案を実施するための最良の形態】
【０００６】本考案は、突き剥がし用のスクレーパーと引き剥がし用のスクレーパーの２本のスクレーパーを、１本の押引スクレーパーに合体させる事に依り、作業が容易に出来、かつ作業性が良いので、この点を強調し行く。
【実施例】
【０００７】以下、添付図面の説明をする。１は突き剥がし用のスクレーパーで、突きながら付着物を剥がすスクレーパー、２は引き剥がし用のスクレーパーで、引きながら付着物を剥がすスクレーパーで、３は柄である。
【図面の簡単な説明】
【０００８】
【図１】  押引スクレーパーの先端図
【図２】  押引スクレーパーの先端図
【図３】  押引スクレーパーの全体図
【符号の説明】
【０００９】１  突き剥がし用のスクレーパー
２  引き剥がし用のスクレーパー
３  柄
【図１】
0003134171.tif 000003
【図２】
0003134171.tif 000004
【図３】
0003134171.tif 000005
(57)【要約】      （修正有）【課題】平常、又は、入浴時、背中がムズムズしたり、かゆい時に、背中全体をこするために使用する背中こすり具を提供する。【解決手段】こすり具の取手１を、プラスチック成形で、巾２ｃｍ，厚さ１ｃｍの棒状にし、その先端部に小判形の刷毛２を止め金３で固定する、取手１はくの字形に湾曲にする。刷毛２の大きさは、巾５ｃｍ，長さ１０ｃｍ，厚さ１ｃｍの台座に、毛足が１．５ｃｍの物である。取手１の長さは６０ｃｍにして、従来品の長さよりも、すこし長くした。【選択図】図２
0003134176.tif 000002
【実用新案登録請求の範囲】
【請求項１】
本考案は、プラスチツク製の棒状の取手（１）を、くの字形に湾曲にした取手（１）の先端に、小判形または、円形等の刷毛（２）を、止め釘（３）で固定した、背中こすり具の形状。
【考案の詳細な説明】
【考案の詳細な説明】
【産業上の利用分野】
考案は、入浴時とか、平常において、背中がムズ々々したり、かゆい時に、従来からある孫の手を使う同じ要領で、背中を、こする為に使用する道具である。
【背景技術】    （イ）通称孫の手と言われている背中をかく道具があるが、取手が短く、直線である為、背中全体を、こする時に都合の悪い時がある。    （ロ）従来品は、竹製が多くて、平常の使用中でも、又、入浴時などに、背中をこする時、つる々々滑ったり、少し強くこすると肌を痛める場合がある。
【課題を解決する為の手段】
（イ）考案は、取手（１）の長さを従来品よりも１５ｃｍ位、長くした、又、取手を、くの字形に湾曲にして背中全体を、こすり易い形にした。    （ロ）考案は、取手（１）の先端部に、小判形などの刷毛（２）を付けて、平常でも、入浴時でも、背中をこする時に、道具の先端が滑ったり、肌を痛めないようにした。
【作用】
考案の、背中こすり具は、取手（１）をプラスチツク成形品を用いて作る、取手（１）は、巾２ｃｍ，厚さ１ｃｍの棒状の先端部に小判形の刷毛（２）を、止め金（３）で固定する、取手（１）は第二図の左側面図のように、くの字形に湾曲にする。  刷毛（２）の大きさは、巾５ｃｍ，長さ１０ｃｍ，厚さ１ｃｍの台座に毛足が１．５ｃｍの物である。取手（１）の長さは６０ｃｍにする。
【実施例】    （イ）考案は、従来からある孫の手よりも、取手（１）の長さをすこし長くして、くの字形に湾曲にしてあるため、背中が丸くなった老人でも誰でも、背中全体を、こすることが出来る。    （ロ）考案は、特に入浴時、背中がムズ々々、かゆい時などに、従来品は竹製の為に、ツル々々滑って使用できないので困ってしまうが、考案の、こすり具は、先端に刷毛（２）を付けて滑らないようにして使用できる様にした。    （ハ）考案は、こすり具の取手の、持ち方、扱いを工夫して、横向きにし、抱える様にして使用すると、背中の両脇も具合よく、こすることが出来る。
【考案の効果】
（イ）考案のこすり具は、取手が長く、くの字形に湾曲である為、背中の丸くなった老人でも誰でも、背中全体を、容易に、こすることが出来る    （ロ）考案のこすり具は、取手の先端が刷毛（２）であるから、特に入浴時、又、平常でも背中がかゆい時、先端が滑らず、こすり易い。    （ハ）考案のこすり具は、取手の持ち方、扱いを工夫して、横向きに抱える様にして使用すると背中の両脇も具合よく、こすることが出来るので、独り暮しの人には、良い助手になってくれるので便利です。    （ニ）考案のこすり具は、先端が刷毛である為、竹製と違つて高齢者の肌にも当りが柔らかく、少し強くこすつても肌を痛めないで、こすることが出来る。
【図面の簡単な説明】
【第一図】
正面図（平面図も同じに表れる）
【第二図】
左側面図（右側面図も同じに表れる）
【第三図】
背面図（底面図も同じに表れる）
【第四図】
断  面  図
【符合の説明】
１、    こすり具の取手      ２、    こすり具の刷毛      ３、    こすり具の止め金
【図１】
0003134176.tif 000003
【図２】
0003134176.tif 000004
【図３】
0003134176.tif 000005
【図４】
0003134176.tif 000006
(57)【要約】      （修正有）【課題】人が水中に潜る必要がなく、センサーで魚を感知し瞬時に銛矢で魚を射る。【解決手段】竿様の先端に取付けたセンサーによりランプの点灯で魚を感知し、瞬時に引金を引くと圧縮空気により銛矢を発射し魚を射る。【選択図】図１
0003134177.tif 000002
【実用新案登録請求の範囲】
【請求項１】
本考案は銛矢で魚を捕獲する事を目的とし、竿様の物体の先たんにセンサーを装備し、センサーが魚を感知した瞬間に赤色灯４が点灯する構造になっており、その瞬間に引金７を引くと止ピン６がはずれ、あらかじめ収縮されたスプリングが復元し、シリンダー３の空気が圧縮され、銛矢１がさ発射され魚を射る装置を提供する。
【考案の詳細な説明】
【技術分野】
【０００１】本考案は魚を射ることを目的とする。
【考案の開示】
【考案が解決しようとする課題】
【０００２】センサーで魚を感知し、銛で魚を射ることである。
【課題を解決するための手段】
【０００３】本考案は、竿様の先端にセンサーを取付けセンサーが魚を感知した瞬間に手元の引金を引きスプリング５の復元による圧縮空気で銛を発射させ魚を射る。
【考案の効果】
【０００４】人が水中に潜る必要なく自動的に魚を射ることができる。
【考案を実施する為の最良の形態】
【０００５】センサーが感知した瞬間に手元に設置したランプが点灯し瞬時に引金ひき銛を発射させて魚を射る。
【実施例】
【０００６】上述の様に本考案の銛射装置はセンサーを利用して、魚を感知した瞬間に引金を引き銛を射て魚を捕獲する。
【産業上の利用可能性】
【０００７】本考案の銛射装置は、センサーとランプを連動させ容易に魚を捕獲することができる。
【図面の簡単な説明】
【０００８】
【図１】スプリング５をちじめる収縮器８によりスプリングを収縮した状態を示す。
【図２】引金７を引くことにより収縮されたスプリングのスットパー６ガ開放され、ピストン３の空気がスプリングの復元により圧縮され銛が発射された状態を示す。
【符号の説明】
１    銛矢
２    センサー
３    ピストン
４    ランプ
５    スプリング
６    ストッパー
７    引金
８    スプリング収縮器
【図１】
0003134177.tif 000003
【図２】
0003134177.tif 000004
(57)【要約】【課題】通信販売用を主目的とするフォームで、プリントしてお客へ送られるフォームの一部に申込み注文ハガキが付いている場合に必要なお客のアドレス・ラベル及びポイント・ラベル等を予めフォーム一部に付属させて、データーをプリントしておきお客の便宜を図る。【解決手段】フォームの一部をミシン目によって分割し、ラベル部分の裏面及びその相手部分に耐熱性再湿性接着剤を塗布し、それを十分乾燥させてプリンターによるプリントに支障ないようにする。【選択図】図１
0003134148.tif 000002
【実用新案登録請求の範囲】
【請求項１】
１枚の面積の限られた長方形の用紙をミシン目によって複数区画に分割し、通販用として標準的項目である販売明細書、支払い用振込用紙及び注文ハガキだけでなく消費者にとって便利な再湿性宛名ラベル、販促用ポイント及びくじ用再湿性ラベルを追加し、この通販用フォームを受取った消費者がこれらのラベル又はシールを後から容易に貼付可能であり、かつ事前にプリンターでこのフォームをデーター・プリントするときプリンター内部でトラブルが発生し難いことを特徴とする通販用フォーム。
【考案の詳細な説明】
【技術分野】
【０００１】本考案は主として、通販などで利用されるフォームに関するものである。
【背景技術】
【０００２】従来通販等で利用されるフォームには、その裏面の一部に粘着剤を塗布し、その上に剥離紙を貼って、表面の相当部分にハーフカットを施して、部分的にタック・ラベルとし、プリンターによってプリント後この部分を剥がして、用紙の一部例えば返信ハガキ又はポイント台紙等に貼り合わすことが行われている。これは部分タック・ラベルと呼ばれているが、次の様な欠点を持っている。
１．用紙がプリンターによってプリントされる場合、熱定着型レーザー・プリンター内部で用紙に塗られている粘着剤が軟化・溶融し、プリンターを汚すことがある。
２．剥離紙が貼られた用紙の一部が他の部分より厚くなるので、プリンターでプリントしにくい。
３．粘着剤塗布、剥離紙貼り合せ、ラベルにする為のハーフカットなどの加工が複雑でコストが高くなる。
【考案の開示】
【考案が解決しようとする課題】
【０００３】  上記〔０００２〕で述べた従来技術の欠点を改良・解決しようとするのが本考案の課題である。
【課題を解決しようとする手段】
【０００４】１．粘着剤を使用しないで、その代りに再湿性接着剤を使用し、塗布後十分乾燥させる。
２．後から切離すラベル又はシール部分の周囲には、予め切取り用ミシン目を施しておく。
【考案の効果】
【０００５】１．本考案に利用する再湿性接着剤は耐熱性なので、プリンターとくに熱定着型レーザー・プリンターによってプリントする場合、糊によってプリンター内部を汚すことがない。
２．従来型に比べ、剥離紙を使用しないので、用紙使用後紙ゴミが発生しない。
３．扱いにくい粘着剤、高価な剥離紙を使用せず、剥離紙貼り合せハーフカットなどの面倒な加工を必要としないので、資源と手間の無駄がない。
【考案を実施するための最良の形態】
【実施例１】
【０００６】  図１
図１は本考案によるカット紙（例えばＡ−４）通販用フォーム１の正面図であって、上下方向に２列のヨコミシンＸＸ−１、ＸＸ−２によって３分割された区画を２，３，４とし、２は返信ハガキ２−１とその他の部分２−２、２−３とに分かれ、３は明細書、４は払込票とから構成されている。ここで２−２、２−３はヨコミシンＸ３Ｘ３、タテミシンＹＹによって分割され、その裏側は再湿性接着剤の塗布乾燥部分とする。
これが本考案による通販フォームの基本形であって、その利用法は次の通りである。
１．１の表側をプリンターによって必要なデーターをプリントする。
このとき、１の裏側には、剥離紙等が部分的に貼られていないので、凹凸がなく、プリントし易い。
２．２−２、２−３の裏側は再湿性接着剤の塗布乾燥部分であるが、耐熱性なので熱定着型プリンターに使用しても問題ない。
３．２−２部分には客先の番号や住所がプリントされ、お客が返信する場合、ミシンによって２−２を切り離し、２−２裏側の再湿性接着剤部分を水分でぬらして、ハガキ２−１の宛名部分に容易に貼ることができる。
４．更に２−３も通販用再湿性シールとしてくじやポイント用シールとして、ハガキやポイント台紙にセロテープや糊を用いずに簡単に貼り付けることができ便利である。
【図面の簡単な説明】
【０００７】
【図１】本考案の実施例１による通販用フォームの正面図。
【符号の説明】
【０００８】１    ：本考案による通販用フォーム。
２    ：返信ハガキ及びその他のラベル部分
３    ：明細書
４    ：支払い用振込用紙
２−１：返信ハガキ部分
２−２：返信ハガキ部分の宛名ラベル
２−３：通販用ポイント又はくじ用ラベル
Ｘ１Ｘ１、Ｘ２Ｘ２、Ｘ３Ｘ３：ヨコミシン
ＹＹ                        ：タテミシン
【図１】
0003134148.tif 000003
【手続補正書】
【提出日】平成19年5月10日(2007.5.10)
【手続補正１】
【補正対象書類名】明細書
【補正対象項目名】０００６
【補正方法】変更
【補正の内容】
【０００６】〔実施例１〕  図１
図１は本考案によるカット紙（例えばＡ−４）通販用フォーム１の正面図であって、上下方向に２列のヨコミシンＸＸ−１、ＸＸ−２によって３分割された区画を２，３，４とし、２は返信ハガキ２−１とその他の部分２−２、２−３とに分かれ、３は明細書、４は払込票とから構成されている。ここで２−２、２−３はヨコミシンＸ３Ｘ３、タテミシンＹＹによって分割され、その裏側は再湿性接着剤の塗布乾燥部分とする。
これが本考案による通販フォームの基本形であって、その利用法は次の通りである。
１．１の表側をプリンターによって必要なデーターをプリントする。
このとき、１の裏側には、剥離紙等が部分的に貼られていないので、凹凸がなく、プリントし易い。
２．２−２、２−３の裏側は再湿性接着剤の塗布乾燥部分であるが、耐熱性なので熱定着型プリンターに使用しても問題ない。
３．２−２部分には客先の番号や住所がプリントされ、お客が返信する場合、ミシンによって２−２を切り離し、２−２裏側の再湿性接着剤部分を水分でぬらして、ハガキ２−１の宛名部分に容易に貼ることができる。
４．更に２−３も通販用再湿性シールとしてくじやポイント用シールとして、ハガキやポイント台紙にセロテープ（登録商標）や糊を用いずに簡単に貼り付けることができ便利である。
(57)【要約】      （修正有）【課題】激しいスポーツ中にでも、脱げることのない構造を持つ帽子を提供する。【解決手段】紫外線、及び赤外線を遮断する伸縮性のある素材、熱を放出する伸縮性のあるメッシュ素材、強い伸縮性のある素材とを組み合わせ縫製する。【選択図】図１
0003134143.tif 000002
【実用新案登録請求の範囲】
【請求項１】
帽子の前部、頭頂部、後部に紫外線及び、赤外線の効果を内部に及ぼさないような性質を持ち、なおかつ伸縮性のある生地を使用し、両側面には、伸縮性のあるメッシュ素材を使用することで、通気性を確保し、内部にこもる熱の排出を行えるようにする。また、縁部分には激しい運動中にでも脱落しないよう強い伸縮性のある素材を使用し、これらの素材を組み合わせ縫製するスポーツ中の熱中症、日射病を予防する帽子
【考案の詳細な説明】
【技術分野】
【０００１】本考案は、屋外で行われるスポーツで使用する熱中症および、日射病を予防する帽子に関する。
【背景技術】
【０００２】現時点では、炎天下で行うスポーツ（サッカー、陸上競技等）で熱中症、日射病予防に使用する専用の帽子は存在しない。
【考案の開示】
【考案が解決しようとする課題】
【０００３】炎天下で行うスポーツ（サッカー、陸上競技等）で帽子を用いるという形で積極的に熱中症，熱射病を予防するための方策がとられていなかった。
【課題を解決するための手段】
【０００４】そこで、紫外線、赤外線を遮断する伸縮性のある素材、熱を放出する伸縮性のあるメッシュ素材と、強い伸縮性のある素材を組み合わせ、激しい動きでも脱げない帽子を考案した。（図１）
【考案の効果】
【０００５】本考案の帽子により、炎天下に行う激しいスポーツ（サッカー、陸上競技等）において、競技中に使用することにより、熱中症や日射病を予防することが出来る。
【考案を実施するための最良の形態】
【０００６】本考案に係る帽子は、図１に示すように、センター部分１に紫外線および、赤外線を遮断する伸縮性のある素材とサイド部分２の熱を放出する伸縮性のあるメッシュ素材、縁部分３の強い伸縮性のある素材の組み合わせで、縫製し形成する。
【図面の簡単な説明】
【０００７】
【図１】本考案に係る帽子の側面図である。
【符号の説明】
【０００８】１．センター部分２．サイド部分３．縁部分
【図１】
0003134143.tif 000003
【手続補正書】
【提出日】平成19年4月24日(2007.4.24)
【手続補正１】
【補正対象書類名】実用新案登録請求の範囲
【補正対象項目名】全文
【補正方法】変更
【補正の内容】
【実用新案登録請求の範囲】
【請求項１】
帽子の前部、頭頂部、後部に紫外線及び、赤外線を遮断する性質を持つ生地を使用し、帽子の両側面には、メッシュ素材を使用し、通気性を確保し、内部にこもる熱の排出を行えるように、これらの素材を組み合わせ縫製し、サッカー、陸上競技等、炎天下で行うスポーツ中の熱中症、日射病を予防する帽子。
(57)【要約】      （修正有）【課題】スチームヒータ特有の暖房を活用することと経済的で安全性を重視した家庭用スチームヒータの提供。【解決手段】水平の放熱細管１の半分を給水して封鎖する。放熱細管外周に放熱板を取り付け、その根元に電気コードヒータ１２を巻き付けることで放熱細管内の水を加熱すると、限られた管内で即蒸発圧力が急上昇短時間に暖房ができる。管内の圧力は圧力スイッチ９で調節して安全と節電を確保できる。電気コードヒータの間に放熱板があるので遮られ、電気コードの加熱を防止できる。配管接続の定期点検により水洩れによる空炊きを防止する。更に安全カバ−兼用のフレームで安全を確保できる。【選択図】図２
0003134149.tif 000002
【実用新案登録請求の範囲】
【請求項１】
水平の放熱細管内に半分給水、給水細管を封鎖、給水細管外周を電気コードヒータで加熱すると管内に蒸気圧が急上昇する圧力を圧力スイッチで調節することで安全と節電を確保できる家庭用スチームヒータ。
【考案の詳細な説明】
【技術分野】
【０００１】  本考案は家庭用スチームヒータの構造に関するもの。
【背景技術】
【０００２】  従来のオイルヒータがありますが消費電力が大きい。
【考案の開示】
【考案が解決しようとする課題】
【０００３】  従来のオイルヒータは消費電力が大きい８００−１２００ｗ／ｈ対して家庭用スチームヒータは消費電力の小さい４００−６００ｗ／ｈ小型にして簡単な操作で安全と節電が確保できる環境に最適な家庭用スチームヒータになります。
【課題を解決するための手段】
【０００４】  本考案の家庭用スチームヒータは小さい電力で蒸気圧力を短時間に急上昇できるようにする。それには水平の細管の半分を給水して細管を封鎖する及び細管外周に放熱板を巻き付けると同様に電気コードヒータも巻き付けることで細管内の水を加熱すると限られた管内で即蒸発圧力が急上昇短時間に暖房ができる。管内の圧力は圧力調節器で安全と節電を確保できる。電気コードヒータの間に放熱版で遮られ電気コードヒータの加熱を防止できる。配管接続は定期点検で水洩れによる転倒空炊きを防止更に安全カバ−兼用のフレームで安全を確保できる。以上で製作組立も簡単で効率の良い家庭用スチームヒータになります。
【考案の効果】
【０００５】スチームヒータ特有の無意識に暖かくなる違和感のない自然対流の柔らかい春の陽ざしの様な快適な家庭用スチームヒータになります。
【考案を実施するための最良の形態】
【０００６】    以下、添付図面に従って実施例を説明する水平のエロフインチューブ１５Ａ両端ネジ１、放熱細管長さ０．５ｍ２本フイン放熱板と電気コートヒータの巻き方が対称に成る事で電磁波障害を防ぐことができ電気コートヒータ消費電力３００ｗ／ｈ１２，の巻き長さとエロフインチューブ１５Ａ長さ０．５ｍに一致する。エロフインチューブ放熱細管両端キャップ１５Ａ１０、止めエロフインチューブ放熱細管中間継ぎ手クロス１５Ａ２、で接続クロス１５Ａ上部にプラグ１５Ａ１１、給水止め、継ぎ手クロス１５Ａ２、下部にブッシュ１５Ａ１０Ａ３、ニップル１０Ａ４、テイー１０Ａ１０Ａ８Ａ５、下部に圧力スイッチ１０Ａ９、最高１２ｋｇ／ｃｍ２を下向きに接続することで高温から圧力スイッチを保護する。テイー１０Ａ１０Ａ８Ａ５、横向き８Ａにニップル８Ａ６、ソケット８Ａ７、圧力計８Ａ８、これで接続配管全てテーパーネジで組立終了する。接続配管の保護と美観を兼ねるカバーフレーム１４で更に安全な優れた家庭用スチームヒータになります。
【実施例】
【０００７】  電気コードヒータ消費電力３００ｗ／ｈ×２＝６００ｗ／ｈ
最初の最高圧力１２ｋｇ／ｃｍ２到達時間２０分
圧力スイッチ最高圧力１２ｋｇ／ｃｍ２の稼動時間、電源ＯＮ６０ｓ，ＯＦＦ２０ｓ
消費電力計算６００（６０−２０／６０）＝４００ｗ／ｈ
エロフインチューブ１５Ａ長さ１．０ｍ放熱有効面積＝０．５１１ｍ２
圧力スイッチ最高使用圧力１２ｋｇ／ｃｍ２＝飽和温度１８７℃
放熱計算０．５１１×１８７＝９６℃／ｍ２＝厳冬六畳間室温＝２０℃
【図面の簡単な説明】
【０００８】
【図１】  本考案のエロフインチュ−ブ正面、側面断面図
【図２】  本考案の配管計器組立図
【図３】  本考案のカバーフレーム外形図
【符号の説明】
【０００９】  １  エロフインチュウブＳＧＰ１５Ａ放熱細管
２  クロス  １５Ａ
３  ブッシュ１５Ａ１０Ａ
４  ニップル１０Ａ
５  テイー１０Ａ１０Ａ８Ａ
６  ニップル８Ａ
７  ソケット８Ａ
８  圧力計８Ａ
９  圧力スイッチ１０Ａ最高１２ｋｇ／ｃｍ２
１０  キャップ１５Ａ
１１  プラグ１５Ａ
１２  電気コードヒータ出力３００ｗ／ｈ×２
１３  カバー
１４  フレームＳＧＰ８０Ａ
１５  キャスター
１６  水蒸気
１７  水
【図１】
0003134149.tif 000003
【図２】
0003134149.tif 000004
【図３】
0003134149.tif 000005
【手続補正書】
【提出日】平成19年4月19日(2007.4.19)
【手続補正１】
【補正対象書類名】実用新案登録請求の範囲
【補正対象項目名】全文
【補正方法】変更
【補正の内容】
【実用新案登録請求の範囲】
【請求項１】
水平の放熱細管内に半分給水、放熱細管を封鎖、放熱細管外周を電気コードヒータで加熱すると放熱細管内に蒸気圧が急上昇する圧力を圧力スイッチで調節することで安全と節電を確保できる家庭用スチームヒータ。
(57)【要約】      （修正有）【課題】お粥と他の食材を一緒に食する時に、お粥の入った容器に食材が柱状に埋め込まれている食材入りお粥を提供する。【解決手段】お粥の入った容器に柱状の食材を容器の底まで埋め込むことにより、上部から食材を少しずつ崩しながらまわりのお粥を一緒に食べるために、風味良く感じることができ、最後まで同じ風味で食べることが可能である。【選択図】図１
0003134167.tif 000002
【実用新案登録請求の範囲】
【請求項１】
柱状に成型した食材がお粥の入った容器の底まで埋め込まれていることを特徴とする食材入りお粥
【考案の詳細な説明】
【技術分野】
【０００１】  本考案はお粥の入った容器に食材が柱状に埋め込まれている食材入りお粥に関するものである。
【背景技術】
【０００２】  お粥は水を多くして米を軟らかく煮たものであり、一般的な食品である。お粥は単品で食べる他に、海苔の佃煮や梅干しの果肉などの他の食材を混ぜて一緒に食べることも多い。容器入りのお粥と他の食材を一緒に食べる方法は２つある。１つは食べる前に食材とお粥をあらかじめ混合する方法であり、もう一つは食べる前に食材をお粥の上面にのせる方法である。
【考案の開示】
【考案が解決しようとする課題】
【０００３】  上記の方法には以下の問題点がある。あらかじめ食材をお粥に混ぜる方法では、食べる時に食材の存在がはっきりしなくなるために風味を感じづらくなる。また、外観も食材の色が拡散して薄くなるために食欲をそそらなくなる。しかも、食材の味が薄くなるために食材の量を増やしたり、味を濃くする必要がある。一方、食材をお粥の上面にのせる方法では、食べるときのバランスを考えないと上面の食材のみを優先的に食べてしまい、途中からお粥だけを食べるか、または途中で食材を足す必要性が生ずる。本考案はお粥の中の食材の形状を検討することにより前述の問題点を解決しようとするものである。
【課題を解決するための手段】
【０００４】  本考案ではお粥の入った容器に柱状の食材を容器の底まで埋め込むことにより、問題点を解決している。
【考案の効果】
【０００５】  本考案では食材はお粥の中に柱状に埋め込まれた状態であり、食べる時は上部から食材を少しずつ崩しながら、まわりのお粥を一緒に食べる。食材は柱状に容器の底にまで埋め込まれていることから、最後まで同じ風味で食べることが可能である。また、本考案では食べる時にお粥と食材が口中で混ざり合うために、風味よく感じることができる。さらに、食材がお粥の表面に見えており、お粥と食材も分離していることから食欲をそそる外観となる。
【考案を実施するための最良の形態】
【０００６】  以下に実施例を示して本考案を詳細に説明するが、本考案はこれらの実施例に限定されるものではない。
【実施例】
【０００７】  米１容に水５容を加え中火で煮込んでお粥を作り、カップ容器に充填した。カップ容器に入ったお粥に対し、円柱状に成型した鮭フレークを容器の底にとどくように埋め込み、冷蔵保存または冷凍保存を行った。
【図面の簡単な説明】
【０００８】
【図１】本考案の斜視図である。
【符号の説明】
【０００９】１  お粥
２  柱状に成型した鮭フレーク
３  カップ容器
【図１】
0003134167.tif 000003